(57)【要約】      （修正有）【課題】吸収凸状部を有することにより身体への密着性や漏れ防止性に優れた吸収性物品の個包装体であって、個包装するために吸収性物品を折り畳んだときの厚みが低減された、吸収性物品の個包装体を提供する。【解決手段】表面シートと裏面シートと該両シートの間に介在された吸収体とを備えた吸収性物品１が包装材料とともに折り畳まれた吸収性物品の個包装体１０であって、前記吸収体には着用者の肌側に隆起する前方吸収凸状部及び後方吸収凸状部があり、該両凸状部は分離領域を介して着用者の前方腹側と後方背側とに離間して配置されており、前記吸収性物品１は前記分離領域にある折り曲げ位置で折り畳まれ、この折り畳まれた状態で前記後方吸収凸状部の全部又は一部が前記分離領域内に納まっている吸収性物品の個包装体１０。【選択図】図１
2010115403.tif 000002
【特許請求の範囲】
【請求項１】
表面シートと裏面シートと該両シートの間に介在された吸収体とを備えた吸収性物品が包装材料とともに折り畳まれた吸収性物品の個包装体であって、前記吸収体には着用者の肌側に隆起する前方吸収凸状部及び後方吸収凸状部があり、該両凸状部は分離領域を介して着用者の前方腹側と後方背側とに離間して配置されており、前記吸収性物品は前記分離領域にある折り曲げ位置で折り畳まれ、この折り畳まれた状態で前記後方吸収凸状部の全部又は一部が前記分離領域内に納まっている吸収性物品の個包装体。
【請求項２】
前記前方吸収凸状部の後側部分の隆起高さはその前側部分の隆起高さより低くされ、この前方吸収凸状部の後側部分に前記後方吸収凸状部の一部が重ねられている請求項１に記載の吸収性物品の個包装体。
【請求項３】
前記吸収体の分離領域において、肌面側から圧搾された前記吸収体と前記表面シートとを接合する窪みが形成され、この窪みが前記折り曲げ位置になる請求項１又は２に記載の吸収性物品の個包装体。
【請求項４】
前記窪みは物品平面視において円弧状の形状を有し、該窪みは、その円弧状に湾曲した張り出し部分を物品前方に向け、かつ、その円弧状に湾曲した内方部分を前記後方吸収凸状部の前端縁近傍もしくは隣接して配置されている請求項１〜３のいずれか１項に記載の吸収性物品の個包装体。
【請求項５】
前記後方吸収凸状部の隆起高さが、前記前方吸収凸状部の隆起高さより低くされている請求項１〜４のいずれか１項に記載の吸収性物品の個包装体。
【発明の詳細な説明】
【技術分野】
【０００１】
本発明は、生理用ナプキンなどの吸収性物品を個別包装した吸収性物品の個包装体に関する。
【背景技術】
【０００２】
生理用ナプキン等の吸収性物品は、その一般的な構成として表面シートと裏面シートとの間に吸収体を介在させた構造を有する。近年この吸収性物品の身体への密着性や漏れ防止性等を向上させるため、物品の幅方向中央部で下腹部側から臀部にかけて吸収体を嵩高くし、その部分を着用者の肌面側に隆起させたものが開発されている。例えば特許文献１には、前方腹側と後方背側との、２つに分かれた吸収体中高部を有する吸収性物品が開示されている。この吸収性物品は、吸収体が肌側に突出していることでフィット性を高め排泄された液体等の漏れを抑えることができ、中高部が２つに分割されていることにより一方の中高部の変形がもう一方の中高部に影響しにくいとされる。
【特許文献１】特開２００６−２３９１６２号公報
【発明の開示】
【発明が解決しようとする課題】
【０００３】
ところで、使用前の吸収性物品は、通常、衛生的な保管や携帯性を考慮して、包装用シートとともに例えば３つ折りにして畳まれ個別包装された個包装体とされている。この個別包装を行うにあたって、上述したような吸収体中高部を有する吸収性物品を例えば３つ折りの状態にすると、吸収体の中央で突出した部分どうしが突き合うように重なってしまう。すると、この重なったところが部分的に厚くなり、中央が膨れた嵩張った個包装体となってしまう。このため、外出するときの携帯に不便を生じたり、携帯時に突合せ状態が崩れゆがみを持った吸収性物品となり吸収性や装着感が悪くなったり、あるいは販売流通時のパッケージにするときにいびつになり個包装体をまとめる二次包装をしにくくなったりする。
上記の点に鑑み本発明は、吸収体に中高部をなす突出部を形成することにより身体への密着性や漏れ防止性を高め、しかも個別包装して吸収性物品を折り畳んだときに部分的に厚くなりすぎることを抑えた吸収性物品の個包装体の提供を目的とする。
【課題を解決するための手段】
【０００４】
上記の目的は、表面シートと裏面シートと該両シートの間に介在された吸収体とを備えた吸収性物品が包装材料とともに折り畳まれた吸収性物品の個包装体であって、前記吸収体には着用者の肌側に隆起する前方吸収凸状部及び後方吸収凸状部があり、該両凸状部は分離領域を介して着用者の前方腹側と後方背側とに離間して配置されており、前記吸収性物品は前記分離領域にある折り曲げ位置で前記両凸状部の隆起方向に向けて折り畳まれ、この折り畳まれた状態で前記後方吸収凸状部の少なくとも一部が前記分離領域内に納まっている吸収性物品の個包装体によって達成された。
【発明の効果】
【０００５】
本発明の個包装体は、その吸収性物品が吸収体中高部を有するため、フィット性が高く、排泄液等を効果的に吸収し、一度吸収された液体等が漏れにくく、快適な装着感を実現することができる。しかも、折り畳んで個別包装したときに部分的に厚くなりすぎることが抑えられ、保管性及び携帯性に優れる。
【発明を実施するための最良の形態】
【０００６】
以下、本発明の個包装体について、その好ましい実施形態である生理用ナプキンの個包装体およびこれを開包した生理用ナプキンに基づき、図面を参照しながら詳細に説明する。
図１は本発明の好ましい実施形態である生理用ナプキンの個包装体（実施形態１）を模式的に示す部分破断斜視図である。図２は図１に示した個包装体の包装を解き伸長したときの吸収性物品（生理用ナプキン）を模式的に示す部分破断斜視図である（ただし包装用シート及びタブは図示していない）。
本実施形態１の生理用ナプキンは、不透液性の裏面シート２と透液性の表面シート４の間に吸収体３を有する。この表面シート４を着用者の肌に当接して着用し、経血等の排泄があったときには、吸収体３が表面シート４を透過した排泄液等を吸収して保持する。そして本実施形態においては、円周エンボス５及びサイドエンボス６が表面シート４と吸収体３とを一体化するように形成されている。これにより、表面シート４と吸収体３とがずれないように固定され、また側方ないし前後方向に移行してきた液体等を堰止め、液漏れを防止する。この円周エンボス及びサイドエンボスを形成する方法は特に限定されず、通常この種の物品に使用される方法で形成することができる。
【０００７】
さらに本実施形態１の生理用ナプキン１は周縁シール部９で裏面シート２と表面シート４とが接合され、封止されている。本実施形態１において、周縁シール部を形成する方法としては例えばヒートシールがあげられる。そして本実施形態１の生理用ナプキン１は物品長手方向の中央のやや前方腹側で、物品幅方向の両側縁に、その外方に延出するウイング部７を有する。このウイング部７は使用時に着用者の肌側と反対側に折り込んで下着のクロッチ部にその裏面を接着し、動きを防止し、また横漏れによる下着の汚損を防ぐことができる。図示していないが、装着したとき肌面に接するように起立する表面シート側に配された立体ギャザー及びこれを形成するためのサイドシートを設けることも、横漏れを一層効果的に防止する点で好ましい。なお、吸収性物品１には、裏面シート２の下着面側にズレ止め粘着材（図示しない）が設けられており、上記のような当接状態になる位置で固定されて装着される。
【０００８】
本実施形態１における吸収体３は、吸収性物品の周縁フラップ部を残すようにして、平面視において物品のほぼ全面に配されている。この吸収体３は、上記円周エンボス５の内部全体にわたる下層吸収体３ｃと、該下層吸収体上に設けられている上層吸収体（３ａ、３ｂ）とからなる。ここで、下層吸収体３ｃは長尺であり、物品の全体に広く配され、物品前端部１ａ近傍から後端部１ｂ近傍にまで延在する。これに対し、該上層吸収体は着用者の腹側前方で肌側に突出した前方吸収凸状部３ａと、背側後方で肌側に突出した後方吸収凸状部３ｂとを有する。本実施形態において、上層吸収体と下層吸収体とは接合されており、この接合方法は特に限定されないが、ホットメルト接着剤やドット状凹凸（エンボス）処理によって接合することが好ましい。
【０００９】
本実施形態において、前方凸状部３ａには、着用者の膣口に対向する排泄ポイントＡがあり、この部分がしっかりと密着するように着用者の肌と接触する。そのため、排泄液（経血等）があったときに、表面シート４を介し、この排泄液が直接、前方吸収凸状部３ａに移行し吸収される。その上、前方吸収凸状部３ａを隆起させたため、その分このような隆起部のない吸収体に対してこの部分で吸収可能な液量が多い。これにより経血等の不用意な広がりを防いで吸収保持することができる。また、経血等を吸収した前方吸収凸状部３ａは下層吸収体３ｃと一体化されているため経血をすみやかにこの下層に移行させ、例えば圧迫されるような着用者の動きがあっても、一度吸収した経血等を流出させないようにすることができる。
【００１０】
一方、本実施形態の後方吸収凸状部３ｂは、装着時に臀部に当接され、特に臀裂の肛門付近の深くなる部分に対応してフィットする。そして、後方吸収凸状部３ｂは、前方吸収凸状部３ａが吸収できず、あるいはいくらか逆戻りして後ろ（臀部側）にまわってきた液等を吸収して後ろ漏れを防ぐ「バリア壁」となる。すなわち、前方から流れてくるような液等があっても、後方吸収凸状部３ｂの前方側面（バリア面）Ｂ（図３−１、図４参照）がこの液等をとらえ、物品外方に逃がさず、速やかに該凸状部３ｂないし下層吸収体３ｃへと引き込むことができる。このような観点から、後方吸収凸状部３ｂのバリア面Ｂは下層吸収体３ｃの上面に対して起立面となるように、好ましくは傾斜や丸みがあってもよい直立面となるようにすることが好ましく、物品前方に対面するような平坦面あるいは丸みを帯びた面であることが好ましい。例えば着用者が寝ているときの横になった姿勢において、あるいは、体の動きなどによって排泄スポットＡにおける着用者の肌面と物品表面との間の密着性が損なわれたり、ずれを生じたりした場合や、経血等の量が多く吸収体の前方側で吸収しきれないときなどがある。このようなときにも臀裂にフィットしている後方凸状部３ｂが経血を吸収し漏れを防止する効果を発揮する。
【００１１】
本実施形態の個包装体の包装状態を図１及び図２を参照しながら説明すると、包装シート１１は生理用ナプキン１の裏面シート２側の外面で生理用ナプキン１と重ねられて折り畳まれる。まず生理用ナプキン１は分離領域ｒ内の、後方吸収凸状部３ｂ近傍の、または後方吸収凸状部３ｂに接する基線ｋ１で包装シート１１とともに折り曲げて畳まれる。さらに前方吸収凸状部３ａ近傍の、またはこれに接する前方部１ａ寄りの基線ｋ２で示した折り曲げ線で包装シート１１とともに折り畳まれて、３つ折りにされる。そして、シール部１３で包装シート１１の縁がシールされて、３つ折りにされた生理用ナプキン１を内包する個包装体１０が形成される。折り曲げられた包装シート１１において、個包装体１０の表に出る側の末端にはタブ１２が貼付され封止されている。これを開包するときには、タブ１２を方向Ｔに引くことで、シールライン１３での包装シート１１の接着が解かれ、包装シート１１に剥離不能に接合された第１及び第２剥離紙（図示していない）が包装シート１１とともに剥がされて、中の生理用ナプキン１を、剥離紙を剥がした状態で取り出せる。
【００１２】
図３−１は図２におけるIII−III線断面を示す断面図である。同図に示したように、本実施形態の生理用ナプキンは全面において実質的に均一な厚さの下層吸収体３ｃ上に前方吸収凸状部３ａと後方吸収凸状部３ｂとが配設され、両凸状部は分離領域ｒを介して離間状態で設けられている。図３−２は図３−１で示した断面により本実施形態の生理用ナプキンが個包装されたときの状態を模式的に示す断面図である。ただし、裏面シート２、表面シート４を省略して吸収体の形状により模式的に示している。
本実施形態１において、分離領域ｒの長手方向の長さｗｒは特に限定されないが、後方吸収凸状部３ｂの長手方向長さｗｂとの関係を考慮して定めることが好ましい（図３−１参照）。例えば分離領域の長手方向の長さｗｒは後方吸収凸状部３ｂの長手方向の長さｗｂの６０％以上であることが好ましく、後方吸収凸状部３ｂの長手方向の長さｗｂ以上であること（ｗｒ≧ｗｂ）がより好ましい。具体的に分離領域の長手方向の長さｗｒは、本実施形態１のようなタイプの生理用ナプキンの場合、１５〜５０ｍｍが好ましく、２０〜４０ｍｍがより好ましい。このようにすることで、生理用ナプキン１をまず基線ｋ１で第１折り曲げ方向ｕ１（図３−２参照）に折り畳んだときに、後方吸収凸状部３ｂの少なくとも一部が分離領域ｒに納まり、前方吸収凸状部と重なりあう面積が小さくなる。そして、これをさらに基線ｋ２で第２折り曲げ方向ｕ２に折り畳んで、後方吸収凸状部３ｂが空間的に納まったために部分的に厚くなることが抑えられた、コンパクトな個包装体１０となる（図１参照）。
【００１３】
本実施形態１の生理用ナプキンにおいて、前方吸収凸状部３ａの長手方向の長さｗａは特に限定されないが、後方吸収凸状部３ｂの長手方向の長さｗｂとの関係は、ｗａがｗｂよりも大きい（ｗｂ＜ｗａ）ことが好ましい。前方吸収凸状部の長さｗｃaは該凸状部の排泄ポイントＡにおける液等の受け取り機能を考慮し、十分な長さとして６０〜１２０ｍｍとすることが好ましく、７０〜１１０ｍｍとすることがより好ましい。後方吸収凸状部３ｂの長手方向の長さｗｂは先に述べたバリア壁機能を考慮し２０〜７５ｍｍが好ましく、２５〜５０ｍｍがより好ましい。このようにすることで、前方吸収凸状部３ａ及び後方吸収凸状部３ｂは排泄された経血等を吸収しやすく、また、着用者の体の起伏に対するフィット性とコンパクトな個別包装を可能とする。また、分離領域の長手方向長さが後方吸収凸状部３ｂの６０％以上で形成され、前方吸収凸状部３ａの長手方向長さが後方吸収凸状部３ｂの長手方向長さより長くされている好ましい形態では、生理用ナプキンの前記基線ｋ２より前方部分では、前方吸収凸状部３ａには重なるが、後方吸収凸状部３ｂには確実に重ならない個包装形態となるため、コンパクトでより個包装形状が安定な個包装体とすることができる。
【００１４】
本実施形態の生理用ナプキンにおいて前方吸収凸状部３ａは最大値で表面シート側に高さｈａで隆起している（図３−１参照）。他方、後方吸収凸状部３ｂは最大値で表面シート側に高さｈｂで隆起している。これらの関係は特に限定されないが、隆起を制御するひとつの方法として、後方吸収凸状部高さｈｂ＜前方吸収凸状部高さｈａであることが好ましい。前方吸収凸状部高さｈａをより高くすることにより、前方吸収凸状部３ａで排泄ポイントＡから直接に吸収して多いときにもその排泄液に好適に対応でき、一方で個包装するときに折り畳まれた後方吸収凸状部３ｂが分離領域ｒの空間に納まりやすい。
図１に示すように、前部と後ろ部が折りたたまれて重なりを生じるが、携帯性を考えると薄い個装体とすることが望まれる。薄い個装体を得るためには吸収凸部を薄くすることもできるが、排泄部に対応する前部吸収凸部は吸収性確保することを考慮して、後方凸部を薄くすることが好ましい。
上述のように、前方吸収凸状部３ａでまず吸収された排泄液は下層吸収体３ｃで移行して保持され、さらに後ろへ流れた液等があったとしても後方吸収凸状部３ｂで確実にとらえて吸収する。また両凸状部が体の起伏に沿ってフィットすることが好ましい。このような観点から通常の生理用ナプキンにおいては、具体的には前方吸収凸状部高さｈａは２．５〜１０ｍｍが好ましく、３〜８ｍｍがより好ましい。後方吸収凸状部高さｈｂについては２〜９ｍｍが好ましく、２．５〜７ｍｍがより好ましい。また、前方吸収凸状部高さｈａと後方吸収凸状部高さｈｂとの差は０．５〜５ｍｍが好ましく、１〜４ｍｍがより好ましい。このとき下層吸収体の厚さｈｃは、１．５〜６ｍｍが好ましく、２〜５ｍｍがより好ましい。
【００１５】
実施形態１においては、折り畳まれたときに後方吸収凸状部３ｂの後側部分ｓ２が前方吸収凸状部３ａの後方部分ｔ２と対向して重なるようにされている。この重なり部分の厚みについてもできるだけ抑えるよう、隆起を制御する別の方法として、本実施形態においては、該前方吸収凸状部３ａの後方部分ｔ２の突出高さはその前方部分ｔ１の突出高さに比べて傾斜的に低くされている（図３−２参照）。一方、後方吸収凸状部３ｂについても前方部分ｓ１から後方部分ｓ２にかけてその高さが傾斜的に低くなるようにされている。すなわち、この形態によれば、折り畳んだときに互いにテーパー状部分が突き合うように対応して後方吸収凸状部３ｂと前方吸収凸状部３ａとが重なるため、重なりがあっても部分的に厚くなることを抑えることができ、しかも後方吸収凸状部３ｂについてみるとその前方部分は特に低くされず十分な高さを確保できるため、良好なバリア面が構成されている。
【００１６】
隆起の高さを制御（低く）する方法として、上述した最大高さを制御する方法と重なり部分の傾斜を制御する方法を説明したが、この方法は単独で用いても組み合わせてもよく、傾斜に関しては、後方吸収凸状部のみに処理しても良く、傾斜の角度や傾斜の長さについて後方吸収凸状部を大きくしても良い。
【００１７】
本実施形態の生理用ナプキンにおいては、分離領域ｒに窪み８が形成されている。この窪み８は平面視において円弧状であり、換言すれば三日月状ないし放物線状の形状を有し、その張り出し部を物品前方に向けて、他方その内方を物品後方に向けて配されている。そして、この円弧状の窪みの湾曲内方が、後方吸収凸状部３ｂの前方端に接するようにして配置されている。このようにすることで、窪み８を設けた部分はその周辺と曲げ剛性が異なるため、折り曲げの起点となりやすく、後方吸収凸状部３ｂが折り曲がることが無く、そのためより正確にこの後方吸収凸状部３ｂの前方端に近接する位置が折り曲げ基線ｋ１となるように折り畳まれるようになる。このように所望の箇所が折り曲げ基線となるよう窪みを形成しておくことにより、例えば寸法的に後方吸収凸状部がうまく折り畳みにより生じる空間に納まるよう、つまりその設計どおりの位置に折り曲げ基線ｋ１がくるように折り畳むことができ好ましい。そして、分離領域ｒ内にねらいどおり折り曲げ基線ｋ１が形成されることにより、生理用ナプキン１は前後の吸収凸状部３ａ及び３ｂ上では折り畳まれないので、前方吸収凸状部３ａおよび後方吸収凸状部３ｂにおける折り目の影響、つまり凸状部のつぶれや、着用時の折り癖の残存などを与えにくくなる。なお、本発明において「吸収凸状部が（所定の空間に）納まる」とは、吸収性物品が折り畳まれた状態で、その凸状部が他の凸状部と重ならないか、あるいはその重なりが一部にとどまり、吸収凸状部の要部（好ましくはその過半）が、前後の吸収凸状部を隔する分離領域内に入り込みながら、物品のこの部分の厚さが凸状部どうしが突き合って重なったときより抑制されていることをいう。
【００１８】
窪み８の形状は、上記のように平面視において円弧状であることが好ましい。円弧状であることにより、上述した分離領域ｒに後方凸状部３ｂの少なくとも一部が納まるような折り曲げ線ｋ１を窪み８の形状に沿った基線として形成させやすい。しかも上述したように窪み８が後方吸収凸状部の前方端に沿って形成されることで、そこに配される該凸状部の壁面を利用したバリア面Ｂで捕らえた液体の下層吸収体３ｃへの引き込み作用を高める点で好ましい。窪み８の深さは下層吸収体３ｃの十分な可撓性が得られる深さが好ましい。窪み８は例えば以下のようにヒートエンボス法により形成することができる。すなわち周面に窪みに対応する形状の凸条部を有するエンボスロールとエンボスロールの周面に対向配置された受けロールとを具備するヒートエンボス装置を用いる。吸収体と表面シートを表面シート側がエンボスロール側に位置するように両ロール間に挿通する。そして、これらを一体的に加熱及び加圧することで、窪みが形成される。また、ヒートエンボス法以外にも、超音波エンボス法、高周波エンボス法等によって形成することもできる
【００１９】
図４は、図３−１に示した窪み周辺を拡大して模式的に示す断面図である。裏面シート２上に厚さｈｃの吸収体３ｃが配され、さらにその上に後方吸収凸状部３ｂが形成され、表面シート４で覆われている。上述のように窪み８は後方吸収凸状部に近接して配置され、その幅ｗｄの中で、折り曲げ基線ｋ１が形成される。窪み８の長手方向幅ｗｄは、３〜２５ｍｍが好ましく、５〜２０ｍｍがより好ましい。窪み８の幅方向の長さｌｄ（図５参照）は２０〜５０ｍｍが好ましく、２５〜４０ｍｍがより好ましい。
【００２０】
図５は、本実施形態１における窪みの平面視の形状と下層吸収体３ｃ、前方吸収凸状部３ａ、後方吸収凸状部３ｂとの配置関係とが分かるようにこれらを模式化して示した平面図である。上述のように、窪み８は円弧状に湾曲していて、張り出し部８ｆと内方部８ｒを有する。この張り出し部８ｆを前方１ａ方向に向け、一方、湾曲した内方部８ｒで後方吸収凸状部３ｂに隣接している。窪み８内部は、エンボス加工によって波立ったような表面形状となっており、規則的に、ほぼ等間隔でエンボス凸部８ａとエンボス凹部８ｂとが形成されている。なお、エンボス凸部の頂点は下層吸収体３ｃの表面より低くなるようにされている。
【００２１】
ここで、本実施形態１の個包装体における、生理用ナプキンの折り畳み形態についてさらに詳しく説明する。本実施形態において折り曲げ基線ｋ１で折り曲げられた生理用ナプキンは、後方吸収凸状部３ｂと前方吸収凸状部３ａとが対面して接し分離領域内に納まる（図３−２参照）。
一方、分離領域がなく、吸収凸状部が前後一体で形成されている場合は、折り畳んだときに前後の吸収凸状部どうしが重なってしまい、個包装体における吸収凸状部による厚みが、吸収凸状部の前方での厚さｈａと後方での厚ｈｂとを加算した、およそｈａ＋ｈｂとなってしまう。また、例えば吸収凸状部が前方腹側から後方背側まで一連で形成されている生理用ナプキンの個包装体では、どうしても凸状部上に折り曲げ線が配されることから、吸収凸状部に折れ線がついて変形してしまい、装着感や吸収性にも悪影響がありうる。
これに対し、本実施形態１では、図３−２を参照すると明らかなように、折り畳んだときの吸収体凸状部による厚みをほぼｈａとすることができる。そして、実施形態１では凸状部上ではないところで折り畳むので、折り癖の影響が少ない。その結果、個包装体から取り出して装着するときの装着感が良好であり、吸収体のつぶれを原因とする吸収漏れも抑えられる。とりわけ、排泄スポット近傍のより多くの経血の吸収力を直接的に要する前方吸収凸状部と、後ろ漏れを吸収するバリアーないしストッパーとして作用する後方吸収凸状部とが、機能的に分化して配置されている。しかも前後の凸状部のそれぞれが着用者の体のへこんだところにフィットするように別々に設けられ、それらの中間にある分離領域は、むしろ着用者の体の起伏が少ないところに沿うように配され、全体として極めて高い肌との密着性が得られる。すなわち、必要な部位がしっかりと密着することで所望の吸収性が得られ、凸状部のクッション性により着用者の肌にソフトにフィットし、良好な装着感が得られる。
【００２２】
次に、本発明の別の好ましい形態（実施形態２）として、上記上面傾斜のない、略直方体形状の吸収凸状部を２つ有する生理用ナプキンの個包装体について説明する。図６−１は実施形態２における生理用ナプキンの断面図、図６−２は図６−１で示した生理用ナプキンが個包装されたときの状態を模式的に示す断面図である。図６−２において、２つの吸収凸状部３ａ、３ｂは全く重なり合わず、３ｂは分離領域ｒに完全に納められている。これにより、上面傾斜のない形状であっても、折り畳んだときの吸収体凸状部による厚みをほぼｈａとすることができる。図６−１、６−２には、折り畳んだときの吸収凸状部どうしの重なりが全くない実施形態を示したが、後方吸収凸状部３ｂの少なくとも一部が分離領域ｒに納まっていればよく、吸収性能等を考慮して必要により折り畳んだときに吸収凸状部の一部が重なりあう形態も、適宜採用しうる。
【００２３】
本発明の吸収性物品の個包装体は、上記の各実施態様に限定されず、これらの構造を適宜組み合わせたものであったり、これと異なる構造のものであったりしてもよい。例えば肌への密着性と漏れ防止性とを考慮して前方吸収凸状部及び後方吸収凸状部を変化させてもよく、例えば上記実施形態１のものは前方吸収凸状部が長方形に形成され、後方吸収凸状部が物品後部１ｂへ向けて先細りの台形にされ（図２、図５参照）、これにより人体にフィットしやすい点で好ましい。このとき、台形の後方吸収凸状部は、その底辺が前方吸収凸状部よりも広幅となるようにすることが好ましい。また、後方吸収凸状部が三角形であるものや、長方形であるものも採用しうる。
【００２４】
さらに前方吸収凸状体及び後方吸収凸状体の平面視における形状を選び、個包装するために折り畳んだときに平面方向で両者が嵌め合うような実施形態とすることも好ましく行える。このような実施形態を示した図７は、本発明のまた別の好ましい実施形態（実施形態３）の生理用ナプキンにおける吸収体の形状を模式的に示す平面図である。同図は実施形態１の図５に対応する模式化した平面図である。下層吸収体３ｃ上に設けられた前方吸収凸状部３ａは、物品後方に向けて張り出す張出端ｔ３を有する。これに対し後方吸収凸状部３ｂは、物品後方に向けて入り込んだ入込部（切欠部）ｓ３を有している。このようにすることで折り曲げ基線ｋ１で折り畳んだとき、後方吸収凸状部は３ｄに配置され、前方吸収凸状部３ａの張出端ｔ３が後方吸収凸状部の入込部（切欠部）ｓ３と嵌合し、凸状部どうしが重ならないようにされている。
【００２５】
図８（ａ）及び（ｂ）には、分離領域に平面視において後方に張り出すように凸状とされた窪み８が形成された生理用ナプキン１の平面図及び断面図を示している。同図に示したものは、図１に示した実施形態の変形例として、さらに模式化して生理用ナプキンを示したものである。なお図８（ａ）の平面図と（ｂ）の断面図との関係を理解しやすいよう補助線ａ〜ｆを付し、表面シート及び裏面シート、これらにより画成される物品外形を一点鎖線で示した。
上記図８（ａ）に示したように後方に凸状とされた「く」の字形の窪み８によって、幅方向の窪みの間隔が狭くなると下層吸収体の厚みが薄くなり、この部分に後方吸収凸状部が部分的に収まるため、個包装状態での生理用ナプキンの形状が安定しやすい。
同様の効果を発現する分離領域における窪みの形状（変形例）としては、図８（ｃ）に示すように、（イ）Ｕ字状、（ロ）ハの字状のような形態があり、（ハ）や（ニ）のように窪みによって直接的に厚みを薄くすることもできる。このように形成された窪みでは、後方側に位置する窪みに基線が配されやすく、このようにされることが、後方吸収凸状部を分離領域に収めやすい点から好ましい。図８（ｃ）における窪みは、分離領域の殆ど全域にわたる形態で形成されており、折り曲げの基線は窪みの長手方向後方側に形成されやすいが、より後方側に形成されやすいよう、前方吸収凸状部３aの側方まで形成されることが好ましい。なお、上記変形例のくぼみは、図示したもののように線状の圧搾部により構成しても、高圧搾部と低圧搾部を交互に連設して断面において波状のものとしてもよい。
【００２６】
以下に上記各実施形態に用いられる各部材について説明する。
表面シートは、液透過性であり肌への当りのソフトな材料からなることが好ましい。例えばコットン等の天然繊維を材料とする不織布や、各種合成繊維に親水化処理を施したものを材料とする不織布を用いることができる。裏面シートは液不透過性のシート材からなることが好ましい。裏面シートは必要に応じて水蒸気の透過性のものであってもよい。具体的に十分な水蒸気透過性を得るために、炭酸カルシウム等のフィラーからなる微粉を分散させたポリエチレン等の合成樹脂製のフィルムを延伸し、微細な孔をあけた多孔質フィルムを用いることが好ましい。また、吸収性物品はサイドシートを有していてもよい。サイドシートとしては、不織布、フィルムシート、紙等が挙げられる。防漏性の観点からは、サイドシートを液不透過性又は難透過性である疎水性不織布、防漏性のフィルムシート等により形成することが好ましい。上記シートは一枚でもよいし、さらに機能性のシート等と組み合わせて２枚以上のものとしてもよい。吸収体の形成材料としては、通常吸収性物品に用いられるものを用いることができる。具体的には例えば、繊維集合体又はこれと高分子吸水ポリマーとを併用させたもの等を用いることができる。繊維集合体を構成する繊維としては、パルプ繊維等の親水性天然繊維や、合成繊維（好ましくは親水化処理を施したもの）等を用いることができる。本発明において前方吸収凸状部と後方吸収凸状部は離間して設けられるので、両凸状部で異なる吸収体材料を使用することも可能である。例えば前方吸収凸状部は吸収性を重視してパルプ系繊維を用い、後方吸収凸状部はフィット性を重視して合成繊維を用いることなどができる。
【００２７】
本発明の吸収性物品は、上述した生理用ナプキンの具体的な構成に限られるものではなく、例えばさらに他の機能性の部材や構造を適用してもよい。また本発明において吸収性物品とは特に限定されず液体等の吸収性を有する物品を含むが、生理用ナプキン、パンティライナー(おりものシート)、又は失禁パッド等であることが好ましい。
【図面の簡単な説明】
【００２８】
【図１】本発明の好ましい実施形態である生理用ナプキンの個包装体（実施形態１）を模式的に示す部分破断斜視図である。
【図２】図１に示した個包装体の包装を解き伸長したときの吸収性物品（生理用ナプキン）を模式的に示す部分破断斜視図である。
【図３−１】図２におけるIII−III線断面を示す断面図である。
【図３−２】図３−１で示した生理用ナプキンが折り畳まれたときの状態を模式的に示す断面図である。
【図４】図３−１における窪みの周辺を拡大して模式的に示す断面図である。
【図５】実施形態１における生理用ナプキンの吸収体及びそこに配設された窪みの位置関係を模式的に示す平面図である。
【図６−１】本発明の別の好ましい実施形態（実施形態２）における生理用ナプキンを模式的に示す断面図である。
【図６−２】図６−１で示した吸収体が個包装されたときの状態を模式的に示す断面図である。
【図７】本発明のまた別の好ましい実施形態（実施形態３）における生理用ナプキンの吸収体およびその折り畳み形状を模式的に示す平面図である。
【図８】図８は、本実施形態の生理用ナプキンの変形例を模式的に示す説明図であり、図８（ａ）は生理用ナプキンの平面図、図８（ｂ）は図８（ａ）のＢ−Ｂ線断面の断面図、図８（ｃ）はくぼみのさらに別の変形例を示す平面図である。
【符号の説明】
【００２９】
１  吸収性物品
１ａ  物品前方部
１ｂ  物品後方部
２  裏面シート
３  吸収体
３ａ  前方吸収凸状部
３ｂ  後方吸収凸状部
３ｃ  下層吸収体
４  表面シート
５  円周エンボス
６  サイドエンボス
７  ウイング部
８  窪み
９  周縁シール部
１０  吸収性物品個包装体
１１  包装シート
１２  タブ
１３  シール部
【図１】
2010115403.tif 000003
【図２】
2010115403.tif 000004
【図３−１】
2010115403.tif 000005
【図３−２】
2010115403.tif 000006
【図４】
2010115403.tif 000007
【図５】
2010115403.tif 000008
【図６−１】
2010115403.tif 000009
【図６−２】
2010115403.tif 000010
【図７】
2010115403.tif 000011
【図８】
2010115403.tif 000012